(57)【要約】【課題】部品の位置ずれを抑制しつつ、その取り付けをより強固なものにすることの可能な照明器具を提供すること。【解決手段】器具本体１００の基板１に第１の開口部６、第２の開口部７及び貫通孔９を形成し、第１の開口部６及び第２の開口部７を介して基板１の裏面１ａに引掛ける第１の爪部４及び第１の爪部４及び基板１の表面１ｂに配置される取付孔１０を有して、器具本体１００の基板１の表面１ａに係止されるアダプタ３を備え、挿通孔１３を有する部品２は、おねじ８を部品２の挿通孔１３を介してアダプタ３の取付孔１２に螺合し、基板１の貫通孔９に貫通させることにより器具本体１００の基板１の表面１ａ側に固定される．【選択図】        図１
2004296248.tif 000002
【特許請求の範囲】
【請求項１】
器具本体の基板に部品を備える照明器具において、基板に開口部及び貫通孔を形成し、開口部を介して基板の裏面に引掛ける爪部及び基板の表面側に配置される取付孔を有して、器具本体の基板の表面側に爪部によって係止されるアダプタを備え、挿通孔を有する部品は、おねじを部品の挿通孔を介してアダプタの取付孔に螺合し、基板の貫通孔に貫通させることにより器具本体の基板の表面側にアダプタを介して固定されるものであることを特徴とする照明器具。
【請求項２】
前記器具本体の基板は、貫通孔の両側に一対の開口部を有し、前記アダプタは一対の開口部に対応する爪部を有するものであることを特徴とする請求項１記載の照明器具。
【請求項３】
前記器具本体の基板は、基板の表面にアダプタを収納する凹部を有し、アダプタが基板の凹部に収納、係止された状態において、アダプタの部品の取付け面は、基板の表面と略同一面上に位置するようにしたことを特徴とする請求項１又は請求項２記載の照明器具。
【請求項４】
前記基板の開口部は、アダプタの爪部の幅より狭い狭開口部分と、爪部の幅より広い広開口部分とを備え、アダプタは、爪部を基板の表面から広開口部分を介して挿通し、狭開口部分に爪部をスライドさせることにより器具本体に係止されるものであることを特徴とする請求項２又は３記載の照明器具。
【請求項５】
前記アダプタは、基板の表面に塗布された塗装膜を剥ぐ突起部を有することを特徴とする請求項１乃至請求項４記載の照明器具用アダプタ。
【発明の詳細な説明】
【０００１】
【発明の属する技術分野】
本発明は、照明器具、特に照明器具の部品取り付け構造に関するものである。
【０００２】
【従来の技術】
この種の照明装置の従来例として、本出願人は、特開２００２−２６０４３３号公報に示すものを提案している。このものは、ソケット貫通部を有する反射板と、取り付け部を有するランプソケットと、前記ソケット貫通部に係止可能な係合部を有するアダプタとを備え、これにより意匠的にも優れ、既設の照明器具に適用しても、反射板とランプの相対的な位置のずれを発生を防止することができるというものである。
【０００３】
【特許文献１】
特開２００２−２６０４３３号公報
【０００４】
【発明が解決しようとする課題】
上記従来例のアダプタは、ランプを保持するランプソケットのみでなく、安定器等を保持するという用途にも用いることができる。しかしながら、上記従来例においては、必ずしも明らかではないが、アダプタが反射板に係止され、さらに保持対象物であるランプソケットも係止されている状態であるので、これらの位置ずれに関し改善の余地があるものと考えられる。また、器具本体に安定器等の比較的重量の重い部品を、器具本体に取り付ける場合には、その取り付けをより強固なものにする必要がある。
【０００５】
本発明は、かかる事由に鑑みてなしたものであり、その目的とするところは、比較的重量の重い取り替え部品を器具本体に取り付ける場合に、部品の位置ずれを抑制しつつ、その取り付けをより強固なものにすることの可能な照明器具を提供することである。
【０００６】
【課題を解決するための手段】
請求項１に係る発明は、器具本体の基板に部品を備える照明器具において、基板に開口部及び貫通孔を形成し、開口部を介して基板の裏面に引掛ける爪部及び基板の表面側に配置される取付孔を有して、器具本体の基板の表面側に爪部によって係止されるアダプタを備え、挿通孔を有する部品は、おねじを部品の挿通孔を介してアダプタの取付孔に螺合し、基板の貫通孔に貫通させることにより器具本体の基板の表面側に固定されるものであることを特徴とする。
【０００７】
請求項２に係る発明は、請求項１記載の照明器具において、前記器具本体の基板は、貫通孔の両側に一対の開口部を有し、前記アダプタは一対の開口部に対応する爪部を有するものであることを特徴とする。
【０００８】
請求項３に係る発明は、請求項１又は請求項２記載の発明において、前記器具本体の基板は、基板の表側にアダプタを収納する凹部を有し、アダプタが基板の凹部に収納、係止された状態において、アダプタの部品が取り付けられる面は、基板の表面と略同一面上に位置するようにしたことを特徴とする。
【０００９】
請求項４に係る発明は、請求項２又は３記載の発明において、前記基板の開口部は、アダプタの爪部の幅より狭い狭開口部分と、爪部の幅より広い広開口部分とを備え、アダプタは、爪部を基板の表面から広開口部分を介して挿通し、狭開口部分に爪部をスライドさせることにより器具本体に係止されるものであることを特徴とする。
【００１０】
請求項５に係る発明は、請求項１乃至請求項４記載の発明において、前記アダプタは、基板表面に塗布された塗装膜を剥ぐ突起部を有することを特徴とする請求項１乃至請求項４記載の照明器具用アダプタ。
【００１１】
【発明の実施の形態】
（第１の実施形態）
第１の実施形態を、図１に基づいて説明する。図１（ａ）は、本実施形態の照明器具の要部の分解斜視図である。図１（ｂ）は、基板１及びアダプタ３の断面図である。
【００１２】
本実施形態の照明器具は、器具本体１００の基板１に第１の開口部６、第２の開口部７及び貫通孔９を形成し、第１の開口部６及び第２の開口部７を介して基板１の裏面１ａに引掛ける第１の爪部４及び第２の爪部５及び基板１の表面１ｂ側に配置される取付孔１０を有して、器具本体１００の基板１の表面１ａ側に第１の爪部４及び第２の爪部５によって係止されるアダプタ３を備え、挿通孔１３を有する部品２は、おねじ８を部品２の挿通孔１３を介してアダプタ３の取付孔１０に螺合し、基板１の貫通孔９に貫通させることにより器具本体１００の基板１の表面１ａ側にアダプタ３を介して固定されるものである．
基板１は、たとえば直管タイプの蛍光ランプを備える照明器具内に設置されて安定器等の部品２を保持するもので、略長方形の鋼板からなり、その表面には後述するアダプタ３の第１の爪部４及び第２の爪部５が挿通される略長方形で基板１の短手方向に伸びる第１の開口部６及び第２の開口部７が、打ち抜き加工によって設けられている。第１の開口部６及び第２の開口部７の間には、安定器等の部品２を固定するおねじ８が貫通する貫通孔９が設けられている。すなわち、基板は、貫通孔９の両側に一対の第１の開口部６及び第２の開口部７を有し、アダプタ３は一対の第１の開口部６及び第２の開口部７に対応する第１の爪部４及び第２の爪部５を有しているのである。
【００１３】
アダプタ３は、基板１に係止されるとともに、部品２を固定するもので、短辺２０ｍｍ、長辺３０ｍｍ、厚み０．６〜１ｍｍの略長方形の平板１４長辺に第１の爪部４及び第２の爪部５を有している。第１の爪部４は、第１の開口部６を介して基板１の裏面１ａに引掛けられるもので、平板１４の長辺に設けた片を、曲げ加工することにより、断面略Ｌ字状に形成したものである。また、第１の爪部４が形成された辺に対向する長辺には、第２の開口部７を介して基板１の裏面１ａに引掛けられるもので、長辺に設けた片を曲げ加工することにより、基板１方向に伸びた第２の爪部５が形成されている。ここで、第２の爪部５には、第２の爪部５の先端側から基端側へと徐々に高く傾斜を有する凸部分５ａが形成されている。また、アダプタ３の中心付近には、図１（ａ）において、部品２側から基板１側にバーリング加工することにより、基板１側に突出した取付孔１０が設けられている。また、取付孔１０の内面にはおねじ８を螺合するためタップ加工が施されている。
【００１４】
部品２は、アダプタ３を介して器具本体１００の基板１の表面１ｂ側に取り付けられるもので、たとえば安定器であり、実装基板及び回路素子（図示はしない）を収納する箱体１１に、アルミ等の金属材料からなる略長方形の取付板１２を設けたものである。そして、取付板１２の端部には、おねじ８が挿通する挿通孔１３が設けられている。ここで、図１においては図示を省略しているが、上記の構成は、部品２の一方の端部のみに設けるものではなく、部品２の両端に設けられるものである。
【００１５】
以上の構成において、本実施形態の照明器具の部品２の取付施工は以下のようにして行う。アダプタ３を基板１に対して傾けた状態で、基板１の第１の開口部６にアダプタ３の第１の爪部４を挿入することにより、第１の爪部４の平面部分４ａが基板１の裏面１ａに接することにより係止される。この状態において、第２の爪部５は、基板１の表面１ｂ側に位置しており、第２の爪部５は、第２の開口部７に押し込まれることにより、凸部分５ａが基板１の裏面１ａ側に抜け出る。この状態において、アダプタ３は、第１の爪部４及び第２の爪部５により基板１に係止された状態となる。このとき、アダプタ３の取付孔１０は、基板１の貫通孔９を介して基板１の裏面１ａ側に突出した状態となる。
【００１６】
そして、部品２の挿通孔１３が、アダプタ３の取付孔１０と重なるように位置決めし、取付板１２の挿通孔１３に図１（ａ）上で下方向から上方向に、おねじ８を貫通させ、アダプタ３のタップ加工された取付孔１０に螺合させることにより、部品２をアダプタ３に固定する。これにより、部品２を、基板１の表面１ｂ側から取り付けることができ、さらに、取付孔１０が、基板１に貫通することにより、アダプタ５の位置ずれを防止することができる。
【００１７】
なお、本実施形態においては、貫通孔１０にタップ加工を施すようにしたが、図２に示すように、貫通孔１０の内面にめねじ部を設け無いようにし、おねじ８を、貫通孔１０螺合させると同時にねじ溝を形成するいわゆるタッピンねじにしてもよい。
【００１８】
また、本実施形態においては、アダプタ３の平板１４の中央付近に部品２側から基板１側にバーリング加工することにより、基板１側に突出した取付孔１０を設けたが、図３に示すように、打ち抜き加工により、取付孔１０を設け、取付孔１０の内面にタップ加工を施してもよい。
【００１９】
さらにまた、本実施形態においては、アダプタ３の平板１４の中央付近に円形の取付孔１０を設けたが、図４に示すように、平板に略Ｈ字型に取付孔１０を設け、Ｈ字の中心部分におねじ８が挟み込まれるようにしてもよい。
【００２０】
そしてまた、本実施形態においては、アダプタ３の長辺の一方にＬ字形状の第１の爪部４を設け、他方に先端側から基端側へと徐々に高くなるように傾斜する凸部分５ａを有する第２の爪部５を設けたが、図５に示すように両長辺に第２の爪部５を、設けてもよい。この場合には、アダプタ３を基板１に対して傾ける必要はなく、一対の第２の爪部５を対応する第１の開口部６及び第２の開口部７に合わせ、図５の矢印のように、基板１に対し垂直に、アダプタ３を押し込むことで、アダプタ３を基板１に係止させることができる。
【００２１】
また、本実施形態においては、第１の開口部６及び第２の開口部７の２つの開口部を設けたが、図６に示すように開口部を第１の開口部６のみとし、アダプタ３の形状をＬ字形状となる部分とＶ字形状となる部分を一体にするように形成してもよい。ここで、Ｌ字形状の部分にはタップ加工を施した取付孔１０を設け、Ｖ字形状の谷の部分にさらに、スルーホール１５を設ける。この場合には、Ｖ字形状の谷の部分と、Ｌ字形状の基板１に平行な部分とで、基板１に挟み込み、さらに、おねじ（図６において示はしない）をＬ字形状部分に設けた取付孔１０に螺合し、貫通孔９及びスルーホール１５におねじを貫通させることにより、部品２がアダプタ３に固定される。
【００２２】
さらにまた、図７に示すようにアダプタ３の平板１４に、先端の丸まった第３の爪部１６を立設し、この第３の爪部１６に対応する一対の第３の開口部１７を基板１に設けるようにしてもよい。この場合には、図９にの矢印に示すように、第３の爪部１６を第３の開口部１７に挿通させた後、それぞれの第３の爪部１６を基板１の外側に開くことにより、アダプタを基板１は係止される。
（第２の実施形態）
第２の実施形態を、図８に基づいて説明する。図８（ａ）は、本実施形態の照明器具の要部の分解斜視図である。図８（ｂ）は、基板１及びアダプタ３の断面図である。
【００２３】
本実施形態の照明器具は、器具本体の基板１の表面１ａにアダプタ３を収納する凹部２０を有するようにし、アダプタ３が基板の凹部２０に収納、係止された状態において、アダプタ３の部品の取付け面３ａは、基板１の表面１ｂと略同一面上に位置するようにしたものである。
【００２４】
すなわち、基板１には、基板１の表面１ｂから裏面１ａ側に窪んだ凹部２０を形成している点が異なり、他は同じである。アダプタ３は、第１の実施形態で述べたように、第１の爪部４及び第２の爪部５を第１の開口部６及び第２の開口部７に貫通させることにより係止するが、基板１が凹部２０を有することにより、アダプタ３の図８（ａ）における部品の取付け面３ａと、基板１の表面１ｂとが、アダプタ３の取付時において略同一面上に配置される。
【００２５】
これにより、部品２がアダプタ３に取付けられた場合に、部品２の取付板１２が、基板１の表面１ｂに密着して設置される。これにより、部品２内に設けた回路素子（図示はしない）が発生する熱は、部品２の取付板１２に伝熱する。そして、部品２の取付板１２は、基板１の表面１ｂに密着して設置されていることにより、基板１へ熱が容易に流れることになり、基板１に接続される反射板（図示はしない）等の表面積の大きい金属部から放熱されるので、効率良く部品２が発生する熱を放熱することができるようになる。
【００２６】
（第３の実施形態）
第３の実施形態を、図９に基づいて説明する。図９（ａ）は、本実施形態の照明器具の要部の分解斜視図である。図９（ｂ）は、基板１及びアダプタ３の断面図である。
【００２７】
本実施形態の照明器具は、アダプタ３が、基板１の表面１ｂの塗装膜を剥ぐ突起部３０を有する構成となっている。すなわち、アダプタ３の平板１４に、コの字状に切り込みを入れ、切り込みで囲まれた部分を、基板１側に折り曲げることにより、基板１に対して鋭角を形成する突起部３０を設けている。
【００２８】
そして、図９に示す突起部３０を有するアダプタ３を、第１の実施形態と同様にして、基板１に取り付けると、突起部３０は、基板１に対して鋭角でもって、基板１に接触するため、基板１の表面１ｂに施された塗膜に対し、鋭角方向の力が掛かり、これにより、塗膜が剥がれて、基板１の表面１ｂには、金属面が露出する。ここで、アダプタ３及び部品２の取付板１２は、ともに導体であるので、基板１が接地されている場合には、部品２は、アダプタ３を介して接地することができる。
【００２９】
なお、本実施形態においては、アダプタ３の平板１４に突起部３０を設けたが、図１０に示すように、アダプタ３とは別個に突起部３０を有する突起板３１を設け、アダプタ３と基板１とで、突起板３１を挟み込むようにしても前述と同様の作用により、塗膜を剥がすことができる。また、本実施形態においては、基板１を平板状にしたが、図８で示したように、基板１に凹部２０を設け、凹部２０内に塗布された塗膜を剥ぐようにしてもよい。さらにまた、後述する爪部４１をスライドさせるアダプタ３に突起部３０を設けてもよい。
【００３０】
（第４の実施形態）
第４の実施形態を、図１１に基づいて説明する。図１１（ａ）は、本実施形態の基板１及びアダプタ３の斜視図、（ｂ）は（ａ）に示した部分の寸法を示す図である。
【００３１】
本実施形態の照明器具は、基板１の開口部４０に、アダプタ３の爪部４１の幅より狭い狭開口部分４２と、爪部４１の幅より広い広開口部分４３とを備え、アダプタ３は、爪部４１を基板１の表面１ｂから広開口部分４３を介して挿通し、狭開口部分４２に爪部４１をスライドさせて器具本体に係止されるものである。すなわち、基板１に、貫通孔９を中心とした円弧に沿った開口部４０を設けている。開口部４０は、爪部４１が挿通し得る広開口部分４３と爪部４１が係止され得る狭開口部分４２を有している。ここで、一対の爪部４１の先端間の距離をＬ２、一対の支持部分４１ａの外表面間距離をＬ１、広開口部分４３の縁間の距離をｄ１、広開口部分４３の端部間の距離をｄ２、広開口部分４２の端部間の距離をｄ３、広開口部分４２の外側の縁間の距離をｄ４とし、これらの各寸法の関係を、ｄ１＜Ｌ２、ｄ２＞Ｌ１、ｄ３＜Ｌ１、ｄ４＜Ｉ２としている。
【００３２】
ここで、爪部４１は、平板１４の長手方向の端部近傍に、コの字に切り込みを入れ、切り込みで覆われる片を基板１側に略Ｌ字状に曲げ加工することによって形成されている。
【００３３】
以上の構成において、一対の爪部４１を図１１中の矢印で示すように、広開口部分４３から挿通し、貫通孔９を中心に右回転させると、爪部４１が狭開口部分４２に移動することによって係止される。そして、爪部４１が基板１に係止された後、第１の実施形態と同様に、部品２をおねじ（図示はしない）で固定する。
【００３４】
なお、本実施形態においては、アダプタ３を貫通孔９を中心に回転させるようにしたが、図１２に示すように基板１の長手方向すなわち、図１２の矢印方向に爪部４１をスライドさせて係止するようにしてもよい。すなわち、図１２に示す基板１の長手方向に爪部４１の幅より狭い狭開口部分４２及び爪部４１の幅より広い広開口部分４３を設ける。ここで、アダプタ３の形状は図１１に示したものと同じである。この構成において、アダプタ３の爪部４１を図１２の広開口部分４３から挿通し、狭開口部分４２にスライドさせるようにする。このようにしても、図１１に示したものと同様にアダプタ３を基板１に係止することができる。また、本実施形態においては、基板１を平板状にしたが、図８で示したように、基板１に凹部２０を設け、凹部２０内で係止するようにしてもよい。
【００３５】
【発明の効果】
請求項１に係る発明は、器具本体の基板に部品を備える照明器具において、基板に開口部及び貫通孔を形成し、開口部を介して基板の裏面に引掛ける爪部及び基板の表面側に配置される取付孔を有して、器具本体の基板の表面側に爪部によって係止されるアダプタを備え、挿通孔を有する部品は、おねじを部品の挿通孔を介してアダプタの取付孔に螺合し、基板の貫通孔に貫通させることにより器具本体の基板の表面側にアダプタを介して固定されるものであるようにしたので、器具本体の基板のねじ孔におねじを挿通することにより、アダプタの位置をずれにくくすることができる。
【００３６】
請求項２に係る発明は、請求項１記載の照明器具において、前記器具本体の基板は、貫通孔の両側に一対の開口部を有し、前記アダプタは一対の開口部に対応する爪部を有するものであるようにしたので、第１の係止部及び第２の係止部と、２つの係止部により係止され、さらにネジ止めにより固定されるため、部品を強固に固定することができる。
【００３７】
請求項３に係る発明は、請求項１又は請求項２記載の発明において、前記器具本体の基板は、基板の表側にアダプタを収納する凹部を有し、アダプタが基板の凹部に収納、係止された状態において、アダプタの部品の取付け面は、基板の表面と略同一面上に位置するようにしたので、部品を照明器具本体に取付けた場合に、部品と照明器具本体との接触面積が広くなるため、部品の放熱性を高めることができる。
【００３８】
請求項４に係る発明は、請求項２又は３記載の発明において、前記基板の開口部は、アダプタの爪部の幅より狭い狭開口部分と、爪部の幅より広い広開口部分とを備え、アダプタは、爪部を基板の表面から広開口部分を介して挿通し、狭開口部分に爪部をスライドさせることにより器具本体に係止されるものであるようにしたので、照明器具本体の表側から、アダプタを平行移動させることにより、アダプタの取り外しが可能となる。
【００３９】
請求項５に係る発明は、請求項１乃至請求項４記載の発明において、前記アダプタは、基板表面に塗布された塗装膜を剥ぐ突起部を有するようにしたので、基板表面の金属を露出させるとともに露出された部分に接触するため、部品と器具本体の導通を取ることができ、器具本体が接地されている場合には、部品をも接地することができる。
【図面の簡単な説明】
【図１】（ａ）は、第１の実施形態の照明器具の要部の分解斜視図であり、（ｂ）は、同基板１及びアダプタ３の断面図である。
【図２】第１の実施形態の別例１の照明器具の要部の分解斜視図である。
【図３】第１の実施形態の別例２の照明器具の要部の分解斜視図である。
【図４】第１の実施形態の別例３の照明器具の要部の分解斜視図である。
【図５】（ａ）は、第１の実施形態の別例４の照明器具の要部の分解斜視図である。（ｂ）は、同基板及びアダプタの断面図である。
【図６】第１の実施形態の別例５の照明器具の要部の分解斜視図である。
【図７】第１の実施形態の別例６の照明器具の要部の分解斜視図である。
【図８】（ａ）は、第２の実施形態の照明器具の要部の分解斜視図であり、（ｂ）は、同基板１及びアダプタ３の断面図である。
【図９】（ａ）は、第３の実施形態の照明器具の要部の分解斜視図であり、（ｂ）は、同基板１及びアダプタ３の断面図である。
【図１０】（ａ）は、第３の実施形態の別例の照明器具の要部の分解斜視図であり、（ｂ）は、同基板及びアダプタの断面図である。
【図１１】（ａ）は、第４の実施形態の基板１及びアダプタ３の分解斜視図、（ｂ）は（ａ）に示した部分の寸法を示す図である。
【図１２】第４の実施形態の別例の照明器具の要部の斜視図である。
【符号の説明】
１    基板
１ａ  裏面
１ｂ  表面
２    部品
３    アダプタ
４    第１の爪部
４ａ  平面部分
５    第２の爪部
５ａ  凸部分
６    第１の開口部
７    第２の開口部
８    おねじ
９    貫通孔
【図１】
2004296248.tif 000003
【図２】
2004296248.tif 000004
【図３】
2004296248.tif 000005
【図４】
2004296248.tif 000006
【図５】
2004296248.tif 000007
【図６】
2004296248.tif 000008
【図７】
2004296248.tif 000009
【図８】
2004296248.tif 000010
【図９】
2004296248.tif 000011
【図１０】
2004296248.tif 000012
【図１１】
2004296248.tif 000013
【図１２】
2004296248.tif 000014